(57)【特許請求の範囲】
【請求項１】
デュワー瓶（１）の内部の冷却液（９）を汲み上げるためのポンプ（１５）であって、
流入口（１９）および流出口（２１）を備えたチャンバ（１７）と、
閉鎖要素（２３）と、
圧力上昇装置（２５）と、を有し、
前記チャンバ（１７）の前記流入口（１９）は、前記デュワー瓶（１）のタンク（３）に接続可能であり、
前記チャンバ（１７）の前記流出口（２１）は、前記デュワー瓶（１）の標本容器（１１）に接続可能であり、
前記チャンバ（１７）は、前記流入口（１９）を通った冷却液（９）で満たされるように適応し、前記冷却液（９）は、重力によって前記チャンバ（１７）の中に下方向に流れ込み、
前記閉鎖要素（２３）は、前記チャンバ（１７）が前記冷却液（９）で満たされた時に浮遊することによって、自動的に前記チャンバ（１７）を閉鎖するように適応し、
前記圧力上昇装置（２５）は、前記チャンバ（１７）が冷却液で満たされた後、前記冷却液（９）が前記流出口（２１）を通って放出されるまで、前記チャンバ（１７）の内部の圧力を上昇させるように適応しているポンプ（１５）。
【請求項２】
前記圧力上昇装置（２５）は、抵抗器（２７）であり、
前記抵抗器（２７）は、前記冷却液（９）の一部を気化させることによって前記チャンバ（１７）の内部の圧力を上昇させるように適応している請求項１に記載のポンプ（１５）。
【請求項３】
さらに、制御装置（３５）を有し、
前記制御装置（３５）は、前記チャンバ（１７）の中の充填液位を測定するように適応し、
前記制御装置（３５）は、前記チャンバ（１７）の中で測定された前記充填液位が予め決定可能なある充填液位の値に到達した後に、前記圧力上昇装置（２５）を作動させるように適応し、および／または、
前記制御装置（３５）は、予め決定された時間の間、予め決定された時間間隔で前記圧力上昇装置（２５）を作動させるように適応している請求項１または２に記載のポンプ（１５）。
【請求項４】
さらに、充填液位センサ（３７）を有し、
前記充填液位センサ（３７）は、前記チャンバ（１７）の中の前記充填液位を測定し、前記充填液位を前記制御装置（３５）に送信するように適応している請求項３に記載のポンプ（１５）。
【請求項５】
さらに、前記流出口（２１）に配置された逆止弁（３９）を有し、
前記逆止弁（３９）は、前記チャンバ（１７）の内部が予め定義された圧力に到達した後に開くように適応している請求項１〜４のいずれか１項に記載のポンプ（１５）。
【請求項６】
さらに、前記流出口（２１）に配置された制限器（４１）を有し、
前記制限器（４１）は、前記チャンバ（１７）の内部に圧力がかかっている間に、前記流出口（２１）を通る冷却液（９）の流れを制限するように適応している請求項１〜５のいずれか１項に記載のポンプ（１５）。
【請求項７】
冷却液（９）の中に標本を貯蔵するためのデュワー瓶（１）であって、
前記冷却液（９）のための断熱タンク（３）と、
前記断熱タンク（３）の中に配置された標本容器（１１）と、
請求項１〜６のいずれか１項に記載のポンプ（１５）と、を有し、
前記断熱タンク（３）は、前記標本容器（１１）とは別に設けられ、
前記断熱タンク（３）は、前記標本容器（１１）の中の冷却液（９）の液位が一定になる方法で、前記標本容器（１１）と接続され、
前記ポンプ（１５）は、前記断熱タンク（３）の中に配置され、
前記ポンプ（１５）は、冷却液（９）を前記断熱タンク（３）から前記標本容器（１１）まで継続的にパルス状に運ぶように適応しているデュワー瓶（１）。
【請求項８】
さらに、前記標本容器（１１）にアクセスするための開口（１３）を有し、
前記標本容器（１１）は、前記開口（１３）の付近に配置される請求項７に記載のデュワー瓶（１）。
【請求項９】
前記ポンプ（１５）は、前記断熱タンク（３）の中の前記冷却液（９）の液面下に配置され、
前記ポンプ（１５）の流出口（２１）は、ライン（３１）を介して前記標本容器（１１）に接続される請求項７に記載のデュワー瓶（１）。
【請求項１０】
さらに、氷を濾過するための粒子フィルタ（３３）を有し、
前記粒子フィルタ（３３）は、前記ポンプ（１５）の流入口（１９）に配置される請求項７〜９のいずれか１項に記載のデュワー瓶（１）。
【請求項１１】
さらに、氷排出ポート（４３）を有し、
前記氷排出ポート（４３）は、前記標本容器（１１）の底（４５）に設けられ、
前記氷排出ポート（４３）は、前記標本容器（１１）の前記底（４５）に蓄積した氷を前記断熱タンク（３）の中に放出するように適応している請求項７〜１０のいずれか１項に記載のデュワー瓶（１）。
【請求項１２】
前記氷排出ポート（４３）の位置に一方向弁（４７）が配置され、
前記一方向弁（４７）は、前記標本容器（１１）の前記底（４５）に予め決定された量の氷が蓄積した時に開くように適応し、および／または、
前記一方向弁（４７）は、予め決定された時間の後に開くように適応している請求項１１に記載のデュワー瓶（１）。
【請求項１３】
流入口（１９）および流出口（２１）を備え、前記流入口（１９）を通って重力によって満たされるように適応しているチャンバ（１７）を準備し、冷却液（９）が前記チャンバ（１７）の中に下方向に流れ込み、
前記チャンバ（１７）が冷却液（９）で満たされた時に浮遊することによって、自動的に前記チャンバ（１７）を閉鎖するように適応している閉鎖要素（２３）を前記チャンバ（１７）の中に配置し、
前記チャンバ（１７）が閉鎖された後、流体が前記流出口（２１）を通って放出されるまで、前記チャンバ（１７）の内部の圧力を上昇させるように適応している圧力上昇装置（２５）を前記チャンバ（１７）に接続することを含む請求項１〜６のいずれか１項に記載のポンプ（１５）を製作する方法。
【請求項１４】
冷却液（９）のための断熱タンク（３）を準備し、
前記断熱タンク（３）とは別に標本容器（１１）を準備し、
請求項１〜６のいずれか１項に記載のポンプ（１５）を準備し、
前記断熱タンク（３）の内部に前記標本容器（１１）を配置し、
前記標本容器（１１）の中の冷却液（９）の液位が前記ポンプ（１５）を使用して一定に保たれる方法で、前記断熱タンク（３）を前記標本容器（１１）と接続することを含む請求項７〜１２のいずれか１項に記載のデュワー瓶（１）を製作する方法。
【発明の詳細な説明】
【技術分野】
【０００１】
発明の分野
本発明は、デュワー瓶に関する。特に、本発明は、デュワー瓶の冷却液を汲み上げるためのポンプ、および冷却液の中に標本を貯蔵するためのデュワー瓶に関する。さらに、本発明は、デュワー瓶の冷却液を汲み上げるためのポンプを製作する方法、および冷却液の中に標本を貯蔵するためのデュワー瓶を製作する方法に関する。
【背景技術】
【０００２】
発明の背景
デュワー瓶は、デュワーフラスコとも表記され、良好に熱絶縁するように設計されたコンテナである。一方、デュワー瓶は、飲み物を高温に保つための魔法瓶として使用される。他方、デュワー瓶は、標本を低温に保つために研究室の中で利用できる。
【０００３】
通常、標本は、最適に冷却するために、および標本が液体窒素のような冷却液によって確実に覆われるようにするために、デュワー瓶の底またはその近くに貯蔵されなければならない。これは、標本の移動方法を複雑にし、高効率のアクセスを困難にすることがある。
【０００４】
さらに、周囲の空気の中に含まれている水蒸気による冷却液の氷混入を防止するために、通常、デュワー瓶は、蓋によって閉じられる。次に、標本への高効率のアクセスのためには、デュワー瓶を頻繁に開く必要があるので、その結果として冷却液の氷混入が生じる。
【発明の概要】
【発明が解決しようとする課題】
【０００５】
発明の要旨
従って、標本を高信頼性で冷却すると同時に、標本に容易にアクセスすることができるようにするだけでなく、デュワー瓶を開いたまま、冷却液の中の氷の量を最小化することができるようにするニーズがあるかもしれない。
【０００６】
それらのニーズは、独立請求項の主題に含まれるかもしれない。さらなる代表的な実施形態は、従属請求項および以下の説明から明らかである。
【課題を解決するための手段】
【０００７】
本発明の第１の形態によれば、デュワー瓶の中の冷却液を汲み上げるためのポンプが設けられる。ポンプは、チャンバと閉鎖要素と圧力上昇装置とを有する。チャンバは、流入口と流出口とを有し、流入口を通る重力流によって自動的に満ちるように適応している。その場合、チャンバの流入口は、デュワー瓶の冷却液タンクに接続可能であり、チャンバの流出口は、デュワー瓶の標本容器に接続可能である。閉鎖要素は、チャンバが冷却液によって満たされた場合に浮遊することによって、自動的にチャンバを閉鎖するように適応している。さらにまたはその代わりに、閉鎖要素は、圧力上昇装置によってチャンバの内側に生じた段階的な圧力上昇のおかげで、自動的に流入口を閉鎖することができる。さらに、圧力上昇装置は、チャンバが一部または全体が冷却液で満たされた後、その流体の内の一部または全てが流出口を通って放出されるまで、チャンバの内部の圧力を上昇させるように適応している。
【０００８】
すなわち、第１の形態に係る本発明のアイデアは、デュワー瓶のための機械的にシンプルなポンプを備えることに基づくものであり、そのポンプは、複雑に動く機械部品を全く含まずシンプルに動作する、すなわち、疑似静的であるとみなすことができる。ポンプのシンプルな設計と機能のおかげで、そのポンプは、デュワー瓶に直接一体化でき、多くの保守またはサービスを必要としない。標本をデュワー瓶の上面の開口の近くに貯蔵でき、引き続き十分に冷却液の液面下に配置できるように、ポンプは、必要な量の液体窒素のような冷却液をデュワー瓶の上部に提供できる。その場合、デュワー瓶、特にデュワー瓶の標本容器の中の冷却液は、一定の液位に設定できる。さらに、冷却液は、再循環でき、その内部を浄化できる。
【０００９】
ポンプのシンプルな構造のおかげで、そのポンプは、デュワー瓶の外側との過度な接続を必要としないという特徴を有する。例えば、ポンプは、単に、少数の電線によって、または単一のエアラインによって外界に接続できる。
【００１０】
さらに、ポンプは、疑似容積測定の動作をすることができる。すなわち、ポンプの１回の動作サイクルで標本の領域に送り込まれるまたは運び込まれる冷却液の量は、サイクルを通して本質的に一定である。この量は、ポンプのチャンバの容積と一致しても良く、またはその容積よりも少なくても良い。その場合、標本に、すなわち標本容器に運ばれる冷却液の量は、以下に詳細に説明するように、例えば、ポンプの内部の冷却液に伝えられる熱の量によって、またはポンプのチャンバの中に注入されるガスの体積によって制御できる。
【００１１】
さらに、ポンプのシンプルな設計のおかげで、そのサイズは、容易に変更でき、各デュワー瓶の要件に適合させることができる。ポンプのさらなる特徴は、場合によっては、そのポンプが低コストで製作できることである。
【００１２】
その場合、ポンプは、冷却液をデュワー瓶の内部に汲み上げる。従って、冷却液は、公知の出願のように外部の位置に汲み上げられず、デュワー瓶の内部を再循環される。具体的には、標本をデュワー瓶の上面の開口の近くに貯蔵でき、引き続き十分に冷却液の液面下に配置できるように、冷却液は、デュワー瓶の上部に提供される。
【００１３】
ポンプのチャンバは、予め定義された容積のハウジングを有することができる。ハウジングは、金属および／または合成材料のような材料を含むことができる。例えば、流入口は、チャンバの上部または上面に設けることができる。これは、重力流によってチャンバの充填を強め、閉鎖要素の動作を可能にすることができる。流出口は、チャンバの下部または底に設けることができる。その代わりに、流出口は、チャンバの側壁または上面に設けることができる。冷却液が重力によってチャンバの中に下方向に流れ込むように、流入口は、チャンバの上面に設けるのが好ましい。この場合には、チャンバは、チャンバの底に流入口が設けられる場合に比べて、より急速に満ちることができ、冷却液は、既にチャンバの中に存在している静的な流体圧力に逆らって、チャンバの中に流れ込まなければならない。具体的には、チャンバの内部のガスが吸引されない、または例えば、チャンバから出る方法が全くない場合には、チャンバの底の流入口を用いても、チャンバを満たすことは全くできない。チャンバの上面に流入口を設けると共に、流入口の中または流入口に設けられた弁の中に吸引装置を組み込むことができる。これは、ガスの吸引をより厳密にかつより急速にすることができる。
【００１４】
ポンプは、デュワー瓶の内部、特にデュワー瓶の冷却液タンクの内部に配置するように設計される。その場合、冷却液は、例えば、液体窒素であっても良い。チャンバの流入口は、冷却液タンクに接続でき、チャンバの流出口は、デュワー瓶の標本容器に接続できる。
【００１５】
閉鎖要素は、浮遊要素（ｉ）として、または例えば、表面の大きい逆止弁（ｉｉ）として設計できる。一般に、閉鎖要素は、例えば、浮遊要素（ｉ）の場合には重力によって、または逆止弁（ｉｉ）の場合には力の弱いスプリングによって開放できる。さらに、閉鎖要素は、圧力上昇装置によって創出されたチャンバの中の急速な圧力上昇によって閉鎖できる。
【００１６】
浮遊要素（ｉ）の場合、ポンプが空の時には浮遊要素は浮遊していないので、流入口は開いている。その場合、浮遊要素は、冷却液よりも低密度の材料を含む。具体的には、閉鎖要素は、チャンバの中に液体窒素が満たされた場合にその液面を泳動するように、液体窒素よりも低密度の材料で作製される。さらに、閉鎖要素が逆止弁（ｉｉ）として設計された場合、流入口は、重力によって、または力の弱いスプリングによって開いたまま保たれる。チャンバの内部には、閉鎖要素を案内するためのガイドレールまたはガイドロッドを設けることができる。すなわち、閉鎖要素の可動方向は、チャンバの内部の１次元に制限できる。例えば、閉鎖要素は、チャンバの底からチャンバの流入口までガイドロッドに沿って動くことができる。
【００１７】
ポンプが冷却液の内部に配置される、または少なくとも部分的にデュワー瓶の内部の冷却液の液面下に配置されると、チャンバは、重力のおかげで自動的に冷却液で満ちる。その場合、ポンプは、流入口が冷却液の液面下に配置されるように、冷却液の内部に配置される。浮遊要素（ｉ）として設計された場合、閉鎖要素は、冷却液の液面を浮遊し、チャンバが満たされると、流入口を閉鎖する。その代わりに、逆止弁（ｉｉ）として設計された場合、圧力上昇装置によってチャンバの中に急速な圧力上昇が創出されると、閉鎖要素が閉まる。従って、チャンバが冷却液で満たされると、閉鎖要素が自動的に閉まる、すなわち、閉鎖要素の閉鎖機能は、チャンバの充填液位だけに直接依存し、特定の充填液位に到達するとすぐに実行される。
【００１８】
さらなる代替手段によれば、閉鎖要素は、電磁石によって駆動される、または機械的に駆動される能動弁であっても良い。すなわち、閉鎖要素は、能動弁に電気的に接続される駆動ユニットによって駆動できる。さらに、閉鎖要素は、機械的な接続によって、例えば、手動的にまたは自動的に駆動できる。例えば、能動弁に結合したロッドのように、例えば、デュワー瓶の上面から機械的に接続できる。
【００１９】
チャンバが満たされた後に、チャンバの内部の圧力を上昇させるために、圧力上昇装置が作動される。その場合、例えば、圧力上昇装置は、チャンバの中身を加熱することによって間接的に、またはそれを圧縮することによって直接的に圧力を上昇させるように適応できる。特に、圧力上昇装置は、抵抗の大きい電線のような熱慣性の低い加熱要素であっても良い。その代わりに、圧力上昇装置は、チューブを介してチャンバに接続されたガスポンプ、例えば、ピストンポンプであっても良い。
【００２０】
圧力上昇装置は、圧力がチャンバの流出口で制限要素に打ち勝つほど高くなるまで、圧力を上昇させる。その場合、制限要素は、例えば、逆止弁または制限器、例えば、絞り弁であっても良い。次に、チャンバの中に入っている冷却液は、ラインを介してデュワー瓶の標本容器に放出されるまたは排出される。流入口が開放される前にほとんどの冷却液がチャンバから放出されるように、圧力は、「瞬く間」に上昇するのが好ましい。「ストローク」とも表記される汲み上げサイクルを繰り返すことができるように、チャンバが空になった後に閉鎖要素がゆっくり下降し、流入口が再び開く。デュワー瓶の標本容器が新鮮な不凍冷却液で継続的に満たされるように、サイクルを継続的に繰り返すことができる。さらに、これによって、標本が手動搬送のために容易にアクセス可能であり、ロボット化されたシステムによって高速遠隔操作できるデュワー瓶の開口の近くに、標本容器を配置できるようになる。
【００２１】
本発明の一実施形態によれば、圧力上昇装置は、冷却液を加熱して冷却液の一部を気化させることによってチャンバの内部の圧力を上昇させるのに適した抵抗器である。具体的には、抵抗器は、抵抗のある電線、すなわち電線に提供された電気エネルギの一部が熱に変換される抵抗の高い電線であっても良い。抵抗器は、大きい表面を有するように設計できる。例えば、抵抗器は、いくつかのコイルまたは巻線を用いて設計できる。さらに、抵抗器は、曲がりくねった形状を有することができる。
【００２２】
その場合、抵抗器は、チャンバの内部に配置され、チャンバの内部の冷却液に直接接触する。さらに、抵抗器は、電圧源のようなエネルギ源に接続される。エネルギ源は、ポンプの外側に、場合によっては、デュワー瓶の外側に配置できる。抵抗器は、少なくとも１本の電線ラインによってエネルギ源に接続でき、その電線ラインは、例えば、２本の電線を有することができる。
【００２３】
ポンプの流入口が閉鎖要素によって閉鎖された後に、抵抗器にエネルギが供給される。その場合、閉鎖とは、完全な閉鎖またはほぼ完全な閉鎖を示すことができる。例えば、閉鎖要素が浮遊要素として設計される場合には、流入口が実際に閉鎖された後に、抵抗器にエネルギを供給できる。しかしながら、閉鎖要素が表面の大きい逆止弁として設計される場合には、チャンバの中の充填液位が特定の高さに到達した後、逆止弁が流入口の付近にある場合に、抵抗器にエネルギを供給できる。この場合には、圧力が上昇した後に、圧力の動的な差異のおかげで、逆止弁が流出口を閉鎖する。
【００２４】
供給された電気エネルギは、抵抗器で熱に変換される。熱は、直接チャンバの中の冷却液に伝えられる。冷却液の一部が気化し、冷却液をポンプのチャンバから標本容器の中に移す急速な圧力上昇を引き起こす。その場合、チャンバの流出口を開くのに必要な圧力を創出するには、液体窒素ならば少量の気化した窒素で十分である。
【００２５】
本発明のさらなる一実施形態によれば、圧力上昇装置は、ピストンポンプである。ピストンポンプは、チャンバの外側に、場合によっては、ポンプの外側かつデュワー瓶の外側に配置できる。その場合、ピストンポンプは、直径の小さいエアチューブによってチャンバに接続され、室温で動作できる。従って、ピストンポンプは、以下に説明するエッジデュワー瓶との併用に適している。しかしながら、ピストンポンプは、他のタイプのポンプまたは翼との併用による加圧ガス供給装置に置き換えることもできる。
【００２６】
本発明のさらなる一実施形態によれば、圧力上昇装置は、場合によっては、制御弁との併用によるガス供給装置である。例えば、圧力上昇装置は、窒素ガスまたは乾燥した空気をチャンバに供給できる。窒素ガスまたは乾燥した空気の供給装置は、制御弁を介してポンプに接続できる。窒素ガスまたは乾燥した空気は、約１バールの圧力でチャンバに供給できる。
【００２７】
本発明のさらなる一実施形態によれば、ポンプは、さらに、チャンバの中の充填液位と無関係に、予め定義可能な時間間隔で、圧力上昇装置を作動させるのに適した制御装置を有する。例えば、自動的にチャンバを満たすのに、約１０秒かかるかもしれない。そして、圧力上昇および冷却液の排出に、約５秒かかるかもしれない。従って、制御装置は、圧力上昇装置を１５秒間隔で作動させることができる。この場合には、充填液位センサは必要ない。汲み上げサイクルのために必要な時間は、チャンバの容積と、流入口のサイズと、１ストロークあたりの容積に依存できる。従って、これらの時間は、数秒から数分まで変動できる。
【００２８】
本発明のさらなる一実施形態によれば、ポンプは、さらに、チャンバの中の充填液位を測定するのに適した制御装置を有する。その場合、測定されたチャンバの中の充填液位が、特定の予め定義可能な充填液位の値に到達した後に、制御装置は、圧力上昇装置を作動させるように適応している。例えば、制御装置は、中央制御ユニット（ＣＰＵ）であっても良く、電気的におよび／または機能的に、閉鎖要素、充填液位センサおよび／または圧力上昇装置に接続できる。予め定義可能なまたは予め定義された充填液位の値は、例えば、制御装置のメモリに記憶できる。
【００２９】
本発明のさらなる一実施形態によれば、ポンプは、さらに、充填液位センサを有する。充填液位センサは、例えば、接触センサとして設計でき、チャンバの流入口またはその近くに配置できる。例えば、充填液位センサは、閉鎖要素に配置できる。その場合、充填液位センサは、チャンバの中の充填液位を測定し、充填液位を制御装置に送信するように適応している。制御装置は、測定された値を予め定義可能な値と比較し、充填液位が予め定義可能な値に到達するとすぐに、圧力上昇装置を作動させる。充填液位センサの利用は、汲み上げサイクルを最適化するおよび／またはポンプの動作を監視するのに役立つかもしれない。
【００３０】
オーバーフロー路の中、例えば、標本容器の上側エッジに、ポンプの動作を監視するための追加のセンサを利用できる。１つまたは場合によっては複数の追加のセンサをガス／液体検出器として設計できる。
【００３１】
本発明のさらなる一実施形態によれば、ポンプは、さらに、一方向弁とも表記されかつチャンバの流出口に配置された逆止弁を有する。逆止弁は、チャンバの内部が予め定義された圧力に到達した後に開くように適応している。逆止弁は、ボール式チェックバルブ、ダイヤフラム式チェックバルブ、または傾斜ディスク式チェックバルブとして設計できる。逆止弁は、冷却液をポンプのチャンバからデュワー瓶の標本容器まで流すだけのために開くことができる。逆止弁の利用は、逆止弁の上方向の配管の内部が、２回のポンプストロークの間、冷却液で満ちているので、ポンプをより効率的にするという特徴を有する。
【００３２】
本発明のさらなる一実施形態によれば、ポンプは、さらに、絞りまたは絞り弁のような制限器を有する。制限器は、チャンバの流出口に配置される。その場合、制限器は、流出口を通る冷却液の流れを制限し、チャンバの内部の圧力上昇を促進するように適応している。制限器は、圧力が上昇するとすぐに、流出口を通る流れを始めさせる。制限器は、流れを制限し、チャンバの中の圧力上昇を可能にする。制限器または絞り弁の利用は、そのシンプルさと、高信頼性と、低コストという特徴を有する。
【００３３】
本発明の第２の形態によれば、標本を冷却液の中に貯蔵するためのデュワー瓶が準備される。デュワー瓶は、冷却液のための断熱タンクと、断熱タンクの中に配置された標本容器と、を有する。その場合、タンクは、標本容器とは別に設けられる。特に、タンクは、標本容器を収容する。タンクは、標本容器の中の冷却液の液位が一定に保たれる方法で、標本容器に接続される。
【００３４】
すなわち、第２の形態に係る本発明のアイデアは、デュワー瓶の上面の近くまたはデュワー瓶の開口の近くに配置される標本を、デュワー瓶の冷却液タンクの中に追加の標本容器を配置することによって、かつタンクからの冷却液を標本容器に継続的に供給することによって、高信頼で冷却することに基づくものである。
【００３５】
デュワー瓶の設計のおかげで、デュワー瓶の表面に近接した位置に標本を貯蔵することが可能になるので、標本を必要な低い温度に保ちながら、標本へのアクセスが短縮されかつ容易にできるようになる。これに対して、一般のデュワー瓶では、標本は、十分に冷却するためにタンクの底に貯蔵されなければならない。
【００３６】
タンクの中の冷却液の液位が標本容器の中の冷却液の液位と無関係になるように、標本容器は、タンクの中に貯蔵された冷却液よりも上方のデュワー瓶の上面の近くに配置できる。具体的には、タンクの中の冷却液の液位は、標本容器の中の冷却液の液位よりも低い。このように、標本は、容易にアクセス可能であると同時に、タンクの中の熱損失は、低く保たれる。
【００３７】
さらに、不凍冷却液が常時標本容器に供給されるので、標本は、高速遠隔操作される時でさえも、氷結しない環境にいることができる。標本容器は、さらに、新しい標本またはデュワー瓶の開口を通った周囲の空気によってもたらされる氷を取り除くためのオーバーフロー路、氷排出ポートおよび／または氷排出配管を有することができる。従って、氷は、デュワー瓶を頻繁に加熱または再加熱したり、乾燥させたりせずに、定期的に取り除くことができる。
【００３８】
本発明に係るデュワー瓶のさらなる特徴は、標本容器の中の冷却液の液位に影響を与えずに、システム、すなわちタンクに冷却液を補充できるようにすることである。例えば、タンクは、標準的な高ヒステリシスの自動デュワー瓶補充システムを介して補充できる。
【００３９】
デュワー瓶は、例えば、自動化された高分子Ｘ線結晶構造解析のシンクロトロンビームラインによる凍結標本のような標本を貯蔵するのに適しているかもしれない。標本は、流動性の冷却液の中、好ましくは液体窒素の中に貯蔵できる。
【００４０】
デュワー瓶は、外側のケーシングと、タンクと表記される内側のコンテナと、を有することができる。ケーシングおよび／またはコンテナは、金属および／または合成材料を含むことができる。外側のケーシングとタンクとの間には、タンクとデュワー瓶の周囲との間の熱交換を防止する真空層がある。従って、タンクは、断熱される。タンクの内部には、別個の容器、すなわち標本容器が備えられる。標本容器は、タンクの上部に配置される。その場合、標本容器は、タンクの中の冷却液の液面よりも上方に、または部分的に冷却液の液面下に配置できる。標本容器も同様に、金属および／または合成材料を含むことができる。
【００４１】
タンクは、標本容器の中の冷却液の液位が一定になる方法で、標本容器に接続される。すなわち、冷却液は、タンクから標本容器に継続的に供給され、例えば、冷却液の気化する分を補うために、および標本の取り除きの影響を補うためにオーバーフローする。この目的のために、例えば、以上に説明したポンプを利用できる。
【００４２】
デュワー瓶は、さらに、冷却液のオーバーフロー路を備える。すなわち、標本容器の中の冷却液の液位を一定に保つために、必要量よりも多い冷却液が標本容器に供給される。余分な冷却液は、例えば、標本容器のエッジを越えて下方の元のタンクに再度流れ込む。従って、デュワー瓶は、エッジデュワー瓶とも表記できる。
【００４３】
本発明のさらなる一実施形態によれば、デュワー瓶は、さらに、標本容器にアクセスするための開口を有する。開口は、デュワー瓶の上部または上面に配置できる。その場合、標本容器は、開口の付近に配置される。さらに、開口を覆うために、カバーを備えることができる。
【００４４】
本発明のさらなる一実施形態によれば、デュワー瓶は、以上に説明したようなポンプを有する。ポンプは、タンクの内部に配置される。すなわち、ポンプは、タンクの冷却液の液面下に配置される。その場合、ポンプは、冷却液をタンクから以上に説明したような標本容器の中に継続的に運ぶように適応している。さらに、ポンプの流出口は、ラインを介して、または配管を介して標本容器に接続される。配管は、標本容器の下側領域で、または好ましくは上側領域で、標本容器に接続できる。
【００４５】
本発明のさらなる一実施形態によれば、デュワー瓶は、さらに、氷を濾過するための粒子フィルタを有する。その場合、フィルタは、ポンプの流入口に配置される。フィルタは、重大な氷混入が発生した時でさえも、重力によって（低い圧力損失）濾過できるようにするために、大きい表面を有することができる。フィルタは、タンクから標本容器に不凍冷却液だけが確実に供給されるようにする。
【００４６】
氷は、新しい標本によって、またはデュワー瓶の開口を通った周囲の空気への混入によってデュワー瓶の中に入れることができる。氷は、オーバーフロー路ならびに氷排出ポートと配管とを介して、標本容器からタンクの中に移動できる。フィルタは、この氷がタンクの中に、および標本が氷結しない環境に、確実にいるようにする。さらに、氷がフィルタに蓄積し、フィルタを特定の期間の後に交換できるので、フィルタは、デュワー瓶を加熱せずに、氷を取り除くことができるようにする。
【００４７】
本発明のさらなる一実施形態によれば、デュワー瓶は、さらに、氷排出ポートを有する。氷排出ポートは、標本容器の底に設けられる。その場合、氷排出ポートは、標本容器の底に蓄積した氷をタンクの中に放出するように適応している。この氷排出ポートを通って、冷却液よりも高密度の氷を取り除くことができる。冷却液の密度よりも低密度の氷は、冷却液の上を浮遊でき、標本容器のエッジを越えるオーバーフローによって自動的に取り除くことができる。さらにまたはその代わりに、第１の開口と第２の開口とを有する配管を備えることができる。第１の開口は、標本容器の上面の高さに配置でき、第２の開口は、標本容器の下側エリア、例えば、底に配置できる。標本容器の底に設けられた開口から標本容器のエッジに設けられた開口までの配管を通る冷却液の流れによって動かされない限り、高密度の氷は、オーバーフローによって標本容器から排出でき、浮遊している氷も同様に、標本容器から排出される。標本容器から来た氷は、フィルタによって流れが妨げられるので、デュワー瓶の中にいるであろう。
【００４８】
本発明のさらなる一実施形態によれば、氷排出ポートには一方向弁、例えば、逆止弁が配置される。一方向弁は、標本容器の底に予め決定された量の氷が蓄積した時に開くように適応している。例えば、一方向弁は、予め決定された重量または体積の氷が存在する場合だけ開くことができる。バルブは、プッシャによって、または追加の制御装置によってデュワー瓶の上面から駆動できる。その場合、バルブは、制御装置によって、予め決定された時間間隔で駆動できる。
【００４９】
本発明の第３の形態によれば、以上に説明したポンプを製作する方法が提供される。その方法は、流入口と流出口とを備え、流入口を通って重力によって満たされるように適応しているチャンバを準備し、チャンバが冷却液で満たされた時に、自動的にチャンバを閉鎖するまたはほとんど閉鎖するように適応している閉鎖要素をチャンバの中に配置し、チャンバが閉鎖された後、流体が流出口を通って放出されるまで、圧力上昇装置がチャンバの内部の圧力を上昇させるように適応しているように、圧力上昇装置をチャンバに接続するかまたはそれをチャンバの中に配置する方法である。
【００５０】
本発明の第４の形態によれば、以上に説明したデュワー瓶を製作する方法が提供される。その方法は、冷却液のための断熱タンクを準備し、断熱タンクとは別に標本容器を準備し、断熱タンクの内部に標本容器を配置し、標本容器の中の冷却液の液位が、例えば、ポンプを介して一定に保たれる方法で、タンクを標本容器と接続する方法である。
【００５１】
留意すべきは、ポンプがデュワー瓶との併用に適しているように説明されるが、これに対して、ポンプがデュワー瓶と無関係にも使用できることである。例えば、ポンプは、冷却液とは別の流体のために使用できる。この場合には、圧力上昇装置として、ピストンポンプが使用できる。さらに、デュワー瓶は、以上に説明したようなポンプとの併用に適しているように説明されるが、これに対して、デュワー瓶は、無関係に、すなわち別のポンプと併用できる。
【００５２】
さらに、留意すべきは、さまざまな装置および方法に関連して説明した機能を互いに組み合わせることができることである。本発明のこれらおよび他の形態は、以下に説明する実施形態から明らかであり、それを参照して説明する。
【図面の簡単な説明】
【００５３】
図面の簡単な説明
本発明の代表的な実施形態は、以下の図面を参照して以下に説明する。
【００５４】
【図１】図１は、本発明の一実施形態に係るデュワー瓶の断面を示す。
【図２】図２Ａ〜２Ｅは、本発明のさらなる一実施形態に係りかつポンプの動作サイクルのさまざまな段階におけるポンプの断面を示す。図２Ｆは、ポンプのさらなる一実施形態の断面を示す。
【発明を実施するための形態】
【００５５】
実施形態の詳細な説明
図１には、デュワー瓶１が示されている。デュワー瓶１は、冷却液９のための断熱タンク３を有する。タンク３は、バッファ槽とも表記される。デュワー瓶１のケーシング５とタンク３の壁との間には、真空層７が設けられる。真空層７は、デュワー瓶１の周囲の環境とタンク３との間に熱が確実に全く伝わらないようにする。従って、タンク３および特にタンク３の内部の冷却液９は、熱的に絶縁される。
【００５６】
さらに、タンク３の内部には、標本容器１１が配置される。すなわち、タンク３は、標本容器１１を収容する。図１に示されるように、標本容器１１は、タンク３の中の冷却液９の液面よりも上方に配置される。しかしながら、標本容器１１は、少なくとも部分的に冷却液９の液面下に配置されることも、可能である。標本容器１１は、標本を収容し、冷却し、例えば、凍結するように適応している。アクセスを短縮しかつ標本の入れ換えを高速化するために、標本容器１１は、デュワー瓶１３の開口１３の付近、または直接その位置に配置される。開口１３は、カバー５１を備えることができる。しかしながら、本発明に係るデュワー瓶１は、冷却液９の品質または冷却温度に大きな影響を与えずに、常時開けておくことも可能である。
【００５７】
さらに、デュワー瓶１は、タンク３から標本容器１１に冷却液９を自動的にかつ継続的に（パルス状に）汲み上げるためのポンプを有する。ポンプ１５は、タンク３の中の冷却液９の液面下に配置されるのが好ましく、流入口１９と流出口２１とを備えたチャンバ１７を有する。流入口１９は、タンク３の内部に接続され、流出口２１は、ライン３１を介して標本容器１１の内部に接続される。さらに、流入口１９には、粒子フィルタ３３が設けられる。フィルタ３３は、新しい標本または開口１３を通った周囲の空気によってもたらされるかもしれない氷から、ポンプ１５に入った後に標本容器１１に入る冷却液９を濾過する。
【００５８】
標本容器１１の中の冷却液９の液位が一定に保たれるように、ポンプ１５は、標本容器１１の中に不凍冷却液９、具体的には液体窒素を継続的に注入する。ポンプの機能は、図２を参照して以下により詳細に説明する。
【００５９】
標本容器１１の上側エッジには、オーバーフロー路４９が設けられる。すなわち、ポンプ１５は、標本容器１１を満たすのに必要な量よりも多い冷却液９を供給する。従って、余分な冷却液９は、標本容器１１のエッジを越えて元のタンク３に再度流れ込む。この目的のために、配管を設けることができる。オーバーフロー路４９は、冷却液９の上を浮遊する氷を標本容器１１からタンク３に動かすこともできる。
【００６０】
さらに、標本容器１１の底４５には、少なくとも１つの氷排出ポート４３が設けられる。これは、図１の左側の標本容器１１に示される。氷排出ポート４３には、一方向弁４７を設けることができる。一方向弁４７は、特定の時間間隔で、または一方向弁４７の上面に特定量の氷が蓄積した場合のみ開くことができる。
【００６１】
さらにまたは代わりに、標本容器１１には、氷を排出するための配管５０を設けることができる。これは、図１の右側の標本容器１１に示される。配管５０は、第１の開口と第２の開口とを有する。冷却液９よりも高密度の氷が重力のおかげで底４５の最も低い地点に接続された第１の開口に動くように、標本容器１１の底４５は、傾斜するように設計できる。第２の開口でのオーバーフロー路５２によって、高密度の氷を標本容器１１から排出できるように、配管５０の第２の開口は、標本容器１１のエッジの高さに配置される。
【００６２】
デュワー瓶１は、自動化された高分子Ｘ線結晶構造解析のビームラインによる標本の貯蔵に適しているかもしれない。図１に示された標本容器１１は、断面が丸い形状、例えば、Ｏ形状を有する。丸い標本容器１１の中央には、フィルタ３３とポンプ１５が配置される。しかしながら、さまざまな形状の標本容器１１が可能である。例えば、タンク３の内部に、いくつかの別個の標本容器１１を設けることができる。さらに、タンク３の内部に、ポンプ１５とフィルタ３３とを別々に配置できる。例えば、ポンプ１５とフィルタ３３は、タンク３の側壁に直接配置できる。
【００６３】
標本容器１１の中の冷却液９の液位が一定であるおかげで、本発明に係るデュワー瓶１は、開口１３の近くの表面に近接した位置に標本を貯蔵することが可能である。デュワー瓶１の内部の標本容器３よりも下方の深い位置に、冷却液９が貯蔵されるので、タンク３の中の熱損失は、最小に保たれる。さらに、フィルタ３３、オーバーフロー路４９および氷排出ポート４３のおかげで、標本は、高速遠隔操作される時でさえも、氷結しない環境にいることができる。さらに、これらの構成要素のおかげで、デュワー瓶１を再加熱せずに、例えば、氷が蓄積したフィルタ３３を交換することによって、デュワー瓶１から氷を取り除くことが可能になる。デュワー瓶１は、冷却液９の品質に大きな影響を与えずに、常時開けたままにすることができるという特徴も有する。最後に、デュワー瓶１、具体的にはタンク３は、標本容器１１の中の冷却液９の液位に影響を与えずに、冷却液９を補充できる。
【００６４】
図２Ａ〜２Ｅには、ポンプ１５の動作のさまざまな段階が示されている。ポンプ１５は、冷却液９の液面下に配置されたチャンバ１７を有する。チャンバ１７は、重力によって満ちた後にライン３１を介して標本容器１１の中に冷却液９を排出する。図２Ａには、標本容器が模式的に示されている。チャンバ１７から冷却液９を排出するための圧力は、チャンバ１７の中にある冷却液９の一部の気化によって、またはその代わりに、図２Ｆに示されるように、外部のピストンポンプ２９を用いてガス状の窒素のようなガス状の冷却液を大量に注入することによって創出される。
【００６５】
図２Ａに示されるように、静的なポンプとしてポンプ１５が設計される。すなわち、ポンプ１５は、複雑な可動部を備えていないシンプルな設計を有する。ポンプ１５は、入力ポートとも表記される流入口１９と出力ポートとも表記される流出口２１とを備えたチャンバ１７を有する。示された実施形態では、流入口１９は、チャンバ１７の上面に配置され、流出口２１は、チャンバ１７の底に配置される。流出口２１は、図２Ａ〜２Ｅに示されるように、逆止弁３９によって閉鎖される。またはその代わりに、図２Ｆに示されるように、絞り弁のような制限器４１によって流出口２１からの流れが制限される。
【００６６】
ポンプ１５は、さらに、例えば、冷却液９よりも低密度であるため冷却液９の液面を浮遊する閉鎖要素２３を有する。図２には、閉鎖要素２３は、浮遊要素として示されている。しかしながら、閉鎖要素２３は、場合によっては、チャンバ１７の底に接続された力の弱いスプリングを備えた大表面の逆止弁としても設計できる。閉鎖要素２３は、閉鎖要素２３を流入口１９に案内するガイドまたはレールの位置に配置できる。さらに、チャンバ１７の内部の圧力を上昇させ、この方法で冷却液９を標本容器１１の中に排出することが可能な圧力上昇要素２５が設けられる。図２Ａ〜２Ｅに示された実施形態では、圧力上昇装置２５は、抵抗器２７として、特に抵抗が大きい電線として設計される。抵抗器２７は、チャンバ１７の内部の冷却液９に直接接触するポンプ１５の中に配置される。またはその代わりに、圧力上昇装置２５は、図２Ｆに示されるように、ピストンポンプ２９として設計される。ピストンポンプ２９は、デュワー瓶１の内側または外側に配置でき、ガス状の冷却液を送るためのチューブを介してチャンバ１７に接続できる。
【００６７】
さらに、デュワー瓶１の中のポンプに接続された制御装置３５が設けられる。図２Ａには、制御装置３５が単に模式的に示されている。制御装置３５は、ポンプ１５の構成要素に電気的または機能的に、有線または無線によって接続できる。例えば、制御装置３５は、圧力上昇装置２５をタイミング良く作動させるまたは駆動するために、圧力上昇装置２５に接続できる。さらに、制御装置３５は、標本容器１１にタイミング良くアクセスするための逆止弁３９または制限器４１に接続できる。
【００６８】
また、制御装置３５は、充填液位センサ３７に接続できる。チャンバ１７の中の冷却液９の充填液位を測定するための充填液位センサ３７は、チャンバの内部に取捨選択可能に配置できる。充填液位センサ３７は、図２Ａに示されるように、流入口１９またはその付近に配置できる。またはその代わりに、充填液位センサ３７は、図２ｂに示されるように、閉鎖要素２３の中に含むまたは一体化することができる。さらに、制御装置３５は、エネルギ源を有するまたはエネルギ源に接続することができる。さらに、制御装置３５は、例えば、チャンバ１７の必要な充填液位のための予め定義された値が記憶されるメモリを有することができる。
【００６９】
以下では、ポンプ１５の機能または動作を説明する。図２Ａに示されるように、チャンバ１７は、流入口１９を通る重力流によって自動的に満ちる。これは、熱平衡状態の間、すなわち、チャンバ１７の内側と外側の圧力が平衡している間に起こる。
【００７０】
図２ｂに示されるように、チャンバ１７が冷却液９で満たされるとすぐに、またはその代わりに、ある量の冷却液９がチャンバ１７の中にある場合に、閉鎖要素２３は、流入口１９を閉鎖する。制御装置３５（図２ｂに図示せず）は、チャンバ１７が冷却液９で満たされていることを測定するまたは検出する。これは、例えば、対応した信号を制御装置３５に送信する充填液位センサまたは接触センサによって行うことができる。またはその代わりに、制御装置３５は、チャンバ１７が最後の汲み上げサイクル以降に経過したある長さの時間に基づいて満たされるのを測定する。
【００７１】
図２Ｃは、汲み上げサイクルの次の動作ステップを示している。チャンバ１７が冷却液９で満たされ、閉鎖要素２３によって閉鎖された後に、制御装置３５が圧力上昇装置２５を作動させる。図２Ｃの実施形態では、圧力上昇装置は、制御装置３５を介して電力を供給された抵抗器２７である。抵抗器２７では、電力が部分的に熱に変換され、閉鎖されたチャンバ１７の内部の冷却液９に伝えられる。この結果として、チャンバ１７の中の冷却液９の一部が気化し、圧力の上昇を引き起こす。
【００７２】
図２Ｆは、チャンバ１７の内部の圧力の上昇についての代替案を示している。図２Ｆの実施形態によれば、ガス状の冷却液９または他のあらゆるガス状の物質をチャンバ１７の中に押し込むピストンポンプ２９を介して、圧力が上昇する。その場合、ピストンポンプ２９は、吸引フェーズにおいてチャンバ１７から吸引されたガス状の冷却液で満ちることができる。
【００７３】
チャンバ１７の内部の圧力が、予め決定されたレベルに到達した時に、チャンバ１７の流出口２１の逆止弁３９が開き、ライン３１を介して標本容器１１の中に冷却液９が放出される。図２Ｆに示された代替の実施形態では、逆止弁２９は、制限器４１に置き換わる。さらなる代替策では、十分な負荷を創出することによって、ライン３１が制限器４１の機能に置き換わることができる。制限器４１の場合には、流出口２１を通った冷却液は、圧力が上昇した時に直ちに流れ始める。しかしながら、制限器４１は、流れを制限し、チャンバ１７の中の圧力上昇を可能にする。チャンバ１７の中の圧力が予め決定された値に到達した後に、冷却液９は、図２Ｆに示された制限されたチューブを通って急速に流れる。圧力上昇は、十分に急速なので、流入口１９は、ほとんどの冷却液９が流出口２１から排出されるまで閉鎖されたままである。特に、図２Ｃの実施形態では、直ぐに加熱できる。
【００７４】
図２Ｅに示されるように、チャンバ１７から冷却液９を放出した後に、平衡に到達し、図２Ａに示されるように、重力のおかげで再び閉鎖要素２３が落下する。それと共に、流入口１９が開き、重力によって再びチャンバ１７が冷却液９で満ちる。このように、次のサイクルの動作が始まる。その場合、ポンプ１５は、疑似容積測定の方法で機能する。すなわち、動作の各サイクルにおいて標本容器１１に送られる冷却液９の量は、ほぼ同じであり、チャンバ１７の容積に一致する。放出される体積は、加熱の量またはチャンバの中に提供されたガスの体積によって制御することもできる。さらに、ポンプ１５は、シンプルであるという特徴を有するので、多くの保守を必要としない。さらに、外界へのポンプ１５の接続は、少数の電線または１本のエアチューブに制限される。
【００７５】
留意すべきは、本発明の実施形態がさまざまな主題に関するものとして説明されることである。特に、いくつかの実施形態は、方法タイプの請求項に関するものとして説明されるのに対して、他の実施形態は、装置またはシステムタイプの請求項に関するものとして説明される。しかしながら、当業者は、以上および以下の説明から、別段の通知がない限り、１タイプの主題に属する複数の機能の任意の組み合わせに加えて、他の主題に関する複数の機能間の任意の組み合わせも同様に、この出願で開示されていると考えられることを推察するであろう。しかしながら、全ての機能を組み合わせることによって、機能の単なる和よりも大きい相乗作用の効果を出すことができる。
【００７６】
図面および前述の説明の中で、本発明が示されて詳細に説明されるが、これに対して、そのような図示と説明は、説明のためのものまたは代表的なものであり、限定的なものではないと考えられる必要がある。本発明は、開示された実施形態に限定されるものではない。開示された実施形態の他の変形例は、図面、明細書の記載、および従属請求項の検討から理解することができ、当業者がクレームされた発明を実施すれば、その際に生み出すことができる。
【００７７】
さらに、「有する」という用語は、他の構成要素または工程を排除するものではなく、「ａ」または「ａｎ」という不定冠詞は、複数を排除するものではない。互いに異なる従属請求項の中にいくつかの手段が規定されている場合に、そのことは、これらの手段の組み合わせを効果的に使用することができないことを示すものではない。請求項の中のあらゆる符号は、特許請求の範囲を限定するものとして解釈されるべきではない。
【符号の説明】
【００７８】
符号のリスト
１  デュワー瓶
３  断熱タンク
５  ケーシング
７  真空層
９  冷却液（液体窒素）
１１  標本容器
１３  デュワー瓶の開口
１５  ポンプ
１７  チャンバ
１９  流入口
２１  流出口
２３  閉鎖要素（例えば、浮遊要素または逆止弁）
２５  圧力上昇装置
２７  抵抗器
２９  ピストンポンプ
３１  ライン
３３  粒子フィルタ
３５  制御装置
３７  充填液位センサ
３９  （ポンプの）第１逆止弁
４１  制限器（絞り弁）
４３  氷排出ポート
４５  標本容器の底
４７  （標本容器にある）第２一方向弁
４９  標本容器からのオーバーフロー路
５０  配管
５１  カバー
５２  配管からのオーバーフロー路
【図１】
0006333816.tif 000002
【図２】
0006333816.tif 000003